(57)【要約】【課題】被計測対象者の視線の動きに応じた最適な位置に視線計測装置及び液晶モニタ装置を設定することができるとともに、液晶モニタ装置を含めた高いフレキシビリティ性を実現することができる視線計測装置の支持構造を提供する。【解決手段】液晶モニタ装置２Ａの裏面を脱着自在に取り付けるモニタ保持板３１と、このモニタ保持板３１に表面が取り付けられた案内具３２と、案内具３２の裏面に取り付けられた支持板３３と、支持板３３に先端が支持されかつ基端が支柱に支持され、支柱への支持部を起点にした支持板３３の三次元的な位置変更を可能とする多関節アームと、案内具３２の各孔部３２１，３２２に挿通された第１及び第２ロッド３５，３６と、第１ロッド３５に設けられ、案内具３２を各ロッド３５，３６に沿って昇降移動させる昇降移動手段４と、各ロッド３５，３６の下端に設けられ、視線計測装置を脱着自在に収容する取付台３７とを備える。【選択図】図１
2012120624.tif 000002
【特許請求の範囲】
【請求項１】
モニタに表示される映像に応じた被計測対象者の視線の動きを計測する視線計測装置の支持構造であって、
前記モニタの裏面が脱着自在に取り付けられるモニタ保持板と、
このモニタ保持板に表面が取り付けられ、上下方向に互いに平行に延びる複数条の孔部が設けられた案内具と、
この案内具の裏面に取り付けられた支持板と、
この支持板に先端が支持されているとともに基端が剛体に支持され、その剛体への支持部を起点にした前記支持板の三次元的な位置変更を可能とする多関節アームと、
前記案内具の各孔部にそれぞれ挿通された複数本のロッドと、
この各ロッドのうちの単一のロッドに設けられ、前記案内具を各ロッドに沿って上下方向に昇降移動させる昇降移動手段と、
前記各ロッドの一端に設けられ、前記視線計測装置が脱着自在に取り付けられる取付台と、
を備えていることを特徴とする視線計測装置の支持構造。
【請求項２】
前記取付台には、前記視線計測装置の計測角度を上下方向に調整可能とする調整台が設けられている請求項１に記載の視線計測装置の支持構造。
【請求項３】
前記取付台には、前記各ロッドの一端側を被覆する被覆部材が設けられており、
前記被覆部材は、
前記取付台に固定された基部と、
この基部より突出され、前記各ロッドの一端側をそれぞれ摺動自在に貫通させる貫通孔を有する被覆部と、
を備えている請求項１又は請求項２に記載の視線計測装置の支持構造。
【請求項４】
前記モニタ保持板としては、互いに大きさの異なる複数種類のモニタ保持板の中から前記モニタの大きさに応じて選択されたモニタ保持板が適用されている請求項１〜請求項３のいずれか１つに記載の視線計測装置の支持構造。
【請求項５】
前記各ロッドのうちの単一のロッドの一端は、前記取付台に対し軸回りに回転自在に支持されているとともに、
前記昇降移動手段は、
前記単一のロッドに螺旋状に設けられた雄ねじ部と、
前記案内具の各孔部のうちの前記単一のロッドが挿通される孔部に設けられた雌ねじ部と、
を備えている請求項１〜請求項４のいずれか１つに記載の視線計測装置の支持構造。
【請求項６】
前記各ロッドのうちの少なくとも一つには、当該ロッドに対し前記案内具を固定する固定具が設けられている請求項１〜請求項５のいずれか１つに記載の視線計測装置の支持構造。
【発明の詳細な説明】
【技術分野】
【０００１】
本発明は、モニタに向かう乳幼児や動物などの被計測対象者の視線を計測する視線計測装置の支持構造に関する。
【背景技術】
【０００２】
従来より、この種視線計測装置としては、ディスプレイに向かう乳幼児や動物などの被計測対象者の視線が当該ディスプレイに表示される映像を追うなどして変化する際にその変化する視線の動きを計測するようにしたものが知られている（特許文献１参照）。この場合、視線計測装置は、ディスプレイの周囲を覆う枠体に一体的に設置されている。
【先行技術文献】
【特許文献】
【０００３】
【特許文献１】特表２００９−５２５５２９号公報
【発明の概要】
【発明が解決しようとする課題】
【０００４】
ところで、ディスプレイなどのモニタに向かう被計測対象者個々には身長差などの個体差が存在している。このため、モニタに表示される映像に応じて変化する被計測対象者の視線の動きを視線計測装置により精度よく計測する上で、視線計測装置とモニタとを被計測対象者の視線の動きに応じた最適な位置に設置する必要がある。しかし、前記従来のもののように視線計測装置がモニタの枠体に一体的に設けられていると、被計測対象者個々に存在する個体差に応じた最適な位置に視線計測装置及びモニタを設置することができない。
しかも、視線計測装置がモニタの枠体に一体的に設けられていると、被計測対象者の視線の動きを測定する際の課題に応じてモニタが不要となる場合や、速い反応速度又は３Ｄ表示を可能とするといった性能の高いモニタが要求される場合の交換や、モニタ及び視線計測装置の一方の不具合によって交換が余儀なくされる場合などにおいても、対処することができず、モニタを含めた視線計測装置のフレキシビリティ性がきわめて低いものとなる。
【０００５】
本発明は、かかる点に鑑みてなされたものであり、その目的とするところは、被計測対象者の視線の動きに応じた最適な位置に視線計測装置及びモニタを設定することができるとともに、モニタを含めた高いフレキシビリティ性を実現することができる視線計測装置の支持構造を提供することにある。
【課題を解決するための手段】
【０００６】
前記目的を達成するため、本発明が講じた解決手段は、モニタに表示される映像に応じた被計測対象者の視線の動きを計測する視線計測装置を支持するための支持構造として、前記モニタの裏面が脱着自在に取り付けられるモニタ保持板と、このモニタ保持板に表面が取り付けられ、上下方向に互いに平行に延びる複数条の孔部が設けられた案内具と、この案内具の裏面に取り付けられた支持板と、この支持板に先端が支持されているとともに基端が剛体に支持され、その剛体への支持部を起点にした前記支持板の三次元的な位置変更を可能とする多関節アームと、前記案内具の各孔部にそれぞれ挿通された複数本のロッドと、この各ロッドのうちの単一のロッドに設けられ、前記案内具を各ロッドに沿って上下方向に昇降移動させる昇降移動手段と、前記各ロッドの一端に設けられ、前記視線計測装置が脱着自在に取り付けられる取付台と、を備えている。
【０００７】
この特定事項により、モニタは、剛体に支持板及び案内具を介して支持されたモニタ保持板に裏面が保持されている一方、視線計測装置は、前記案内具の各孔部にそれぞれ挿通された各ロッドの一端に設けた取付台に取り付けられている。このため、モニタに向かう被計測対象者個々に身長差などの個体差が存在していても、剛体に対し多関節アームにより支持板を三次元的に位置変更させて各ロッドの一端の取付台の視線計測装置を最適な位置に位置決めした状態で、前記モニタを各ロッドに沿って上下方向に昇降移動させることで当該モニタが最適な位置に位置決めされ、被計測対象者個々の身長差などの個体差が解消される。これにより、視線計測装置とモニタとを被計測対象者の視線の動きに応じた最適な位置に設置することが可能となる。
しかも、モニタが不要となったり交換したりする場合にはモニタ保持板からモニタを離脱させればよく、また、視線計測装置を交換する場合にも取付台から視線計測装置を離脱させればよく、モニタの不要時並びにモニタ及び視線計測装置の交換時に脱着により対処することが可能となって、モニタ及び視線計測装置の高いフレキシビリティ性を実現することが可能となる。
【０００８】
また、前記取付台に、前記視線計測装置の計測角度を上下方向に調整可能とする調整台を設けていることが好ましい。
【０００９】
この場合には、取付台の調節台によって視線計測装置の計測角度が上下方向に調整されるので、被計測対象者個々の身長差などの個体差がより円滑に解消され、被計測対象者の視線の動きを効果的に測定することができる。
【００１０】
また、前記取付台に、前記各ロッドの一端側を被覆する被覆部材を設けるとともに、この被覆部材に、前記取付台に固定された基部と、この基部より突出され、前記各ロッドの一端側をそれぞれ摺動自在に貫通させる貫通孔を有する被覆部と、を設けていることが好ましい。
【００１１】
この場合には、取付台に固定された基部より突出する被覆部の挿通孔に各ロッドの一端側がそれぞれ摺動自在に挿通されて被覆されているので、各ロッドの一端と取付台との連結関係が被覆部材によって強固なものとなり、各ロッドのねじれなどを確実に防止することができる。
【００１２】
また、前記モニタ保持板として、互いに大きさの異なる複数種類のモニタ保持板の中から前記モニタの大きさに応じて選択されたモニタ保持板を適用していることが好ましい。
【００１３】
この場合には、大きさの異なる複数種類のモニタ保持板の中からモニタの大きさに応じたモニタ保持板が選択されているので、大きさの異なるモニタをモニタ保持板に円滑に保持することができる。
【００１４】
また、前記各ロッドのうちの単一のロッドの一端を、前記取付台に対し軸回りに回転自在に支持するとともに、前記昇降移動手段に、前記単一のロッドに螺旋状に設けられた雄ねじ部と、前記案内具の各孔部のうちの前記単一のロッドが挿通される孔部に設けられた雌ねじ部と、を設けることが好ましい。
【００１５】
この場合には、昇降移動手段が単一のロッドの雄ねじ部と当該ロッドを挿通する案内具の孔部の雌ねじ部とで簡単に構成され、このロッドの回転に伴い案内具を上下方向に昇降移動させてモニタを最適な位置に設置することができる。
【００１６】
更に、前記各ロッドのうちの少なくとも一つに、当該ロッドに対し前記案内具を固定する固定具を設けていることが好ましい。
【００１７】
この場合には、固定具によって案内具の各ロッドに対する位置ずれを確実に防止することができる。
【発明の効果】
【００１８】
以上、要するに、剛体に支持板及び案内具を介して支持したモニタ保持板に裏面を保持したモニタと、前記案内具の各孔部にそれぞれ挿通した各ロッドの一端の取付台に取り付けた視線計測装置とを備え、前記モニタを各ロッドに沿って上下方向に昇降移動させるようにアイトラッカを構成することで、被計測対象者個々の身長差などの個体差を解消し、視線計測装置とモニタとを被計測対象者の視線の動きに応じた最適な位置に設置することができる。しかも、モニタ及び視線計測装置を双方共に脱着自在にしてモニタの不要時や双方の交換時に対処でき、アイトラッカの高いフレキシビリティ性を実現することができる。
【図面の簡単な説明】
【００１９】
【図１】本発明の実施の形態に係る視線計測装置の支持機構を小型のモニタ保持板が選択された状態で前方から見た正面図である。
【図２】図１の支持機構の側面図である。
【図３】本発明の実施の形態に係る視線計測装置の支持機構を大型のモニタ保持板が選択された状態で前方から見た正面図である。
【図４】図３の支持機構の側面図である。
【図５】図１のモニタ保持板の正面図である。
【図６】図５のモニタ保持板を内側貫通孔付近で切断した縦断側面図である。
【図７】図３のモニタ保持板の正面図である。
【図８】図７のモニタ保持板を内側貫通孔付近で切断した縦断側面図である。
【図９】案内具の正面図である。
【図１０】図１のモニタ保持板、案内具及び支持板を組み合わせた状態で側方から見た側面図である。
【図１１】図３のモニタ保持板、案内具及び支持板を組み合わせた状態で側方から見た側面図である。
【図１２】支持機構を後方から見た支持板の正面図である。
【図１３】被覆部材を上方から見た平面図である。
【図１４】図１３の被覆部材を貫通孔付近で切断した縦断正面図である。
【図１５】図１３の被覆部材を下方から見た底面図である。
【図１６】図１の支持機構を下方から見た底面図である。
【図１７】実施の形態の変形例に係る視線計測装置の支持機構を小型のモニタ保持板が選択された状態で前方から見た正面図である。
【図１８】図１７の支持機構の側面図である。
【発明を実施するための形態】
【００２０】
以下、添付図面を参照しながら、本発明の実施の形態について説明し、本発明の理解に供する。尚、以下の実施の形態は、本発明を具体化した一例であって、本発明の技術的範囲を限定する性格のものではない。
【００２１】
まず、図１及び図２を用いて、本発明の実施の形態に係る視線計測装置の支持構造の概略構成について説明する。
図１及び図２に示すように、前記視線計測装置１は、画像が表示されるモニタとしての液晶モニタ装置２Ａの表示面２１Ａに表示される画像に応じた被計測対象者の視線の動きを計測するものである。また、前記視線計測装置１は、前記液晶モニタ装置２を伴って支持する支持機構３を備えている。
【００２２】
前記視線計測装置１は、前記液晶モニタ装置２Ａの表示面２１Ａに向かう乳幼児や動物などの被計測対象者の視線が前記表示面２１Ａ上の注視映像を追うなどして変化する際にその変化する視線の動きを計測するものである。
【００２３】
前記液晶モニタ装置２Ａは、４：３画面で２２インチの表示面２１Ａを備えている。この表示面２１Ａには、後述する被計測対象者の視線が注視される注視映像が表示される。なお、液晶モニタ装置２Ａはこれに限られるものではなく、後述するような、１６：９画面で３２インチの表示面２１Ｂを備えた大型の液晶モニタ装置２Ｂのみならず、図示しないがより性能の高いモニタ装置、例えば反応速度が速いモニタ装置や３Ｄ表示ができるモニタ装置などにも適用可能である。
【００２４】
前記支持機構３は、前記液晶モニタ装置２Ａの裏面を脱着自在に取り付けるモニタ保持板３１と、このモニタ保持板３１に表面が取り付けられ、上下方向に互いに平行に延びる２条の第１及び第２孔部３２１，３２２が設けられた案内具３２と、この案内具３２の裏面に取り付けられた支持板３３と、この支持板３３に先端が支持され、図示しない剛体としての支柱や板など強固に固定されたものに基端が支持された多関節アーム３４と、前記案内具３２の各孔部３２１，３２２にそれぞれ挿通された２本の第１及び第２ロッド３５，３６と、この各ロッド３５，３６のうちの第１ロッド３５に設けられ、前記案内具３２を各ロッド３５，３６に沿って上下方向に昇降移動させる昇降移動手段４と、前記各ロッド３５，３６の一端としての下端に設けられ、前記視線計測装置１が脱着自在に取り付けられる取付台３７と、を備えている。
【００２５】
前記モニタ保持板３１は、４：３画面で２２インチの表示面２１Ａを備えた液晶モニタ装置２Ａの裏面を取り付けるための小型のものであり、図３及び図４に示すように、１６：９画面で３２インチの表示面２１Ｂを備えた大型の液晶モニタ装置２Ｂの裏面を取り付けるための大型のモニタ保持板３８も別途用意されている。この各モニタ保持板３１，３８は、図５〜図８にも示すように、共に正面視で略正方形状を呈し、その四隅にそれぞれ外側貫通孔３１１，３８１が設けられている。そして、各モニタ保持板３１，３８は、各モニタ保持板３１，３８の各外側貫通孔３１１，３８１に脚部が挿通される螺子部材（図示せず）によって液晶モニタ装置２Ａ，２Ｂの裏面を脱着自在に支持している。
【００２６】
前記案内具３２は、図９に示すように、正面視で略正方形状を呈し、その表面側及び裏面側の四隅にそれぞれねじ穴３２３が設けられている。この各ねじ穴３２３にそれぞれ対応する前記モニタ保持板３１，３８の対応位置には、図１０及び図１１にも示すように、内側貫通孔３１２，３８２が設けられている。そして、前記モニタ保持板３１，３８は、その内側貫通孔３１２，３８２を貫通して前記案内具３２の各ねじ穴３２３にそれぞれ挿通される皿ねじ（図示せず）によって案内具３２の表面に螺着されている。
【００２７】
前記支持板３３は、図１２に示すように、正面視で略正方形状を呈し、その四隅にそれぞれ外側貫通孔３３１が設けられている。この支持板３３は、前記モニタ保持板３１とほぼ同じ大きさに形成されている。また、前記案内具３２の裏面の各ねじ穴３２３にそれぞれ対応する前記支持板３３の対応位置には、内側貫通孔３３２が設けられている。そして、前記支持板３３は、その貫通孔３３２を貫通して前記案内具３２の各ねじ穴３２３にそれぞれ挿通される皿ねじ（図示せず）によって案内具３２の裏面に螺着されている。また、前記支持板３３は、支柱に基端が取り付けられた多関節アーム３４の先端にボルト及びナット（図示せず）を介して取り付けられている。この場合、多関節アーム３４は、図２及び図４に示すように、水平軸ｎ回りに回動可能な関節３４１及び鉛直軸ｍ回りに回動可能な関節３４２をそれぞれ単数又は複数備え、支柱への取付部を起点にした支持板３３の三次元的な位置変更を可能にしている。
【００２８】
前記第１及び第２ロッド３５，３６は、図１及び図３に示すように、それぞれ上下両端が当該上下両端を除く部位に比べて小径に形成されている。そして、前記第１ロッド３５は、その上下両端を除く部位の全域に亘って螺旋状の雄ねじ部３５１が形成されている。この第１ロッド３５が挿通される案内具３２の第１孔部３２１には、前記雄ねじ部３５１に螺合する雌ねじ部（図示せず）が形成されている。一方、前記第２ロッド３６は、その上下両端を除く部位の全域が断面略真円形状に形成され、この第２ロッド３６が挿通される案内具３２の第２孔部３２２に対し摺動自在に支持されている。
【００２９】
前記取付台３７は、上側部材３７１と下側部材３７２とが一体的に接合されてなる。前記上側部材３７１は、略水平方向に延びる中央部分３７１ａと、その中央部分３７１ａの両端からそれぞれ斜め外方下向きに延びた後に真直ぐ下方に延びる左右両側部３７１ｂ，３７１ｂとを備えている。一方、下側部材３７２は、略水平方向に延びる中央部分３７２ａと、その中央部分３７２ａの両端からそれぞれ真直ぐ上方に延びる左右両側部３７２ｂ，３７２ｂとを備えている。そして、前記取付台３７は、その上側部材３７１の左右両側部３７１ｂ，３７１ｂの下端と下側部材３７２の左右両側部３７２ｂ，３７２ｂの上端とが接合されて内部に収容空間３７３を形成している。
【００３０】
そして、図１３〜図１５にも示すように、前記取付台３７の上面には、前記各ロッド３５，３６の下端側を被覆する断面略逆Ｔ字状の被覆部材４０が設けられている。この被覆部材４０は、前記取付台３７の上側部材３７１の中央部分３７１ａに設置された基部４０１と、この基部４０１より上方へ突設され、前記各ロッド３５，３６の下端側をそれぞれ摺動自在に貫通させる貫通孔４０２，４０２を有する被覆部４０３とを備えている。また、前記被覆部材４０の基部４０１には、被覆部４０３を挟んで左右に２つずつのボルト挿通孔４０４，４１１が設けられている。この各ボルト挿通孔４０４，４１１に対応する，前記取付台３７の上側部材３７１の中央部分３７１ａ及びこの中央部分３７１ａの下側に設けられた補強板４０５の対応位置には、それぞれ雌ねじ部が形成されたねじ孔４０６，４０７が設けられている。そして、図１及び図３に示すように、前記被覆部材４０は、その基部４０１の外側の各ボルト挿通孔４０４から挿通されたボルト４１を前記取付台３７の上側部材３７１の中央部分３７１ａ及び前記補強板４０５の各ねじ孔４０６，４０７に螺着させることによって前記取付台３７の上側部材３７１の中央部分３７１ａに取り付けられている。この場合、被覆部材４０の基部４０１の内側の各ボルト挿通孔４１１から挿通されたボルト４１は、被覆部材４０を取り付ける前に、取付台３７の上側部材３７１の中央部分３７１ａ及び補強板４０５の各ねじ孔４０６，４０７に螺着されていて、頭部のみが各ボルト挿通孔４１１に挿通される。
【００３１】
また、前記取付台３７の上側部材３７１の中央部分３７１ａ及び前記補強板４０５には、前記第１及び第２ロッド３５，３６の下端を貫通させる貫通孔３７４，４０８がそれぞれ設けられている。そして、前記第１及び第２ロッド３５，３６の下端は、前記被覆部材４０の貫通孔４０２を介して前記上側部材３７１及び前記補強板４０５の各貫通孔３７４，４０８にそれぞれ挿通されて止着されている。具体的には、前記第１ロッド３５の下端は、前記上側部材３７１及び前記補強板４０５の各貫通孔３７４，４０８に対し軸芯回りに回転自在に挿通され、その補強板４０５よりも下方に突出する突出端がスナップリング４０９により抜け落ち不能に止着されている。一方、前記第２ロッド３６の下端は、前記上側部材３７１及び前記補強板４０５の各貫通孔３７４，４０８に挿通され、その補強板４０５よりも下方に突出する突出端に設けられた雄ねじ部（図示せず）に螺着するナット４１０によって抜け落ち不能に止着されている。
【００３２】
前記第１及び第２ロッド３５，３６の上端には、その上端をそれぞれ支持する上部支持台４２が設けられている。この上部支持台４２には、前記第１及び第２ロッド３５，３６の上端を貫通させる貫通孔４２１，４２２が設けられている。前記第１ロッド３５の上端は、断面略真円形状に形成され、その上端が挿通される上部支持台４２の貫通孔４２１に対し軸芯回りに回転自在に支持されている。そして、前記第１ロッド３５の上端は前記上部支持台４２よりも上方に突出し、その第１ロッド３５の上端（突出端）に当該第１ロッド３５を軸芯回りに回転させる回転操作ノブ４３が回転一体に連結されている。この場合、回転操作ノブ４３を把持して回転操作すると、第１ロッド３５が上部支持台４２と取付台３７の上側部材３７１との間で回転し、この第１ロッド３５の雄ねじ部３５１に第１孔部３２１（雌ねじ部）が螺合する案内具３２をその回転方向に応じて第２ロッド３６で案内させつつ昇降移動させるようにしている。また、第２ロッド３６には、案内具３２の昇降移動量を表示するスケールが刻設されている。
【００３３】
一方、前記第２ロッド３６の上端は、前記上部支持台４２の貫通孔４２２に形成された雌ねじ部（図示せず）に螺着されている。この場合、第１ロッド３５の上端は、第２ロッド３６の上端を上部支持台４２の貫通孔４２２に螺着した状態で貫通孔４２１に挿通されるようにしている。
【００３４】
前記取付台３７の収容空間３７３に収容される視線計測装置１は、視線計測装置本体１０と、この視線計測装置本体１０の後端を支点にして当該視線計測装置本体１０による計測角度を上下方向に調整可能とする調整台１１とを一体的に備えている。そして、図１６にも示すように、前記調整台１１の底板は、前記取付台３７の下側部材３７２の中央部分３７２ａにそれぞれ設けられた挿通孔３７５に対しその下面から挿通される３つの固定ノブ４４によって固定されている。この場合、各挿通孔３７５は、下側部材３７２の前後方向（図１６では上下方向）へ長く形成され、各固定ノブ４４による絞め付け度合いを緩めることで、下側部材３７２上での視線計測装置本体１０の前後方向への位置変更を可能にしている。
【００３５】
更に、前記案内具３２には、前記第２ロッド３６に対して案内具３２を固定する固定具４５が設けられている。この固定具４５は、前記案内具３２の第２ロッド３６側端縁から第2孔部３２２に貫通するねじ孔４５１と、このねじ孔４５１に螺着される固定ノブ４５２とを備え、固定ノブ４５２を締め込んでその先端を第２ロッド３６に当接させることで、第１ロッド３５の回転方向に応じて昇降移動させた案内具３２の不慮の昇降移動を規制している。
【００３６】
したがって、本実施の形態では、液晶モニタ装置２Ａ，２Ｂは、支柱に多関節アーム３４、支持板３３及び案内具３２を介して支持されたモニタ保持板３１に裏面が保持されている一方、視線計測装置１は、前記案内具３２の各孔部３２１，３２２にそれぞれ挿通された各ロッド３５，３６の下端に設けた取付台３７に取り付けられている。このため、液晶モニタ装置２Ａ，２Ｂの表示面２１Ａ，２１Ｂに向かう被計測対象者個々に身長差などの個体差が存在していても、支柱に対し多関節アーム３４により支持板３３を関節３４１の水平軸ｎ回り及び関節３４２の鉛直軸ｍ回りに回動させるなどして三次元的に位置変更させて各ロッド３５，３６の下端の取付台３７の視線計測装置１を最適な位置に位置決めした状態で、前記液晶モニタ装置２Ａ，２Ｂを各ロッド３５，３６に沿って上下方向に昇降移動させることで当該液晶モニタ装置２Ａ，２Ｂが最適な位置に位置決めされ、被計測対象者個々の身長差などの個体差が解消される。これにより、視線計測装置１と液晶モニタ装置２Ａ，２Ｂとを被計測対象者の視線の動きに応じた最適な位置に設置することができる。
【００３７】
しかも、液晶モニタ装置２Ａ，２Ｂが不要となったり交換したりする場合にはモニタ保持板３１，３８から螺子部材を緩めて液晶モニタ装置２Ａ，２Ｂを離脱させればよく、また、視線計測装置１を交換する場合にも取付台３７の下側部材３７２から各固定ノブ４４を緩めて離脱させればよく、液晶モニタ装置２Ａ，２Ｂの不要時並びに液晶モニタ装置２Ａ，２Ｂ及び視線計測装置１の交換時に脱着により対処することが可能となって、液晶モニタ装置２Ａ，２Ｂ及び視線計測装置１の高いフレキシビリティ性を実現することができる。
【００３８】
また、取付台３７の上側部材３７１に固定された基部４０１より突出する被覆部４０３の挿通孔４０２に各ロッド３５，３６の下端側がそれぞれ摺動自在に挿通されて被覆されているので、各ロッド３５，３６の下端と取付台３７との連結関係が被覆部材４０によって強固なものとなり、各ロッド３５，３６のねじれなどを確実に防止することができる。
【００３９】
また、互いに大きさの異なる２種類のモニタ保持板３１，３８が用意され、液晶モニタ装置の大きさに応じたモニタ保持板３１，３８が選択されるので、大きさの異なる液晶モニタ装置２１Ａ，２１Ｂをモニタ保持板３１，３８に円滑に保持することができる。
【００４０】
また、昇降移動手段４が、取付台３７の貫通孔３７４及び上部支持台４２の貫通孔４２１に上下両端がそれぞれ軸回りに回転自在に支持された第１ロッド３５に螺旋状に設けた雄ねじ部３５１と、案内具３２の第１孔部３２１に設けた雌ねじ部とで構成されているので、昇降移動手段４を簡単に構成することができる。
【００４１】
更に、第２ロッド３６に対し案内具３２を固定する固定具４５が設けられているので、固定具４５の固定ノブ４５２をねじ孔４５１に締め込んでその先端を第２ロッド３６に当接させておけば、第１ロッド３５の回転方向に応じて昇降移動させた案内具３２の不慮の昇降移動が規制される。これにより、固定具４５によって案内具３２の各ロッド３５，３６に対する位置ずれを確実に防止することができる。
【００４２】
なお、本発明は、前記実施の形態に限定されるものではなく、その他種々の変形例を包含している。例えば、前記実施の形態では、取付台３７の上面に各ロッド３５，３６の下端側を被覆する被覆部材４０を設けたが、図１７及び図１８に示すように、取付台３７の上面に各ロッド３５，３６の下端が被覆部材によって被覆されることなくダイレクトに取付台３７の上側部材３７１の中央部分３７１ａの貫通孔３７４及び補強板４０５の貫通孔４０８にそれぞれ挿通されていてもよい。
【００４３】
また、前記実施の形態では、視線計測装置１に、視線計測装置本体１０の後端を支点にして当該視線計測装置本体１０による計測角度を上下方向に調整可能とする調整台１１を設けたが、調整台を備えていない視線計測装置が適用されていてもよく、その場合には、取付台に、視線計測装置の計測角度を上下方向に調整可能とする調整台が設けられていればよい。この場合には、取付台の調節台によって視線計測装置の計測角度が上下方向に調整され、被計測対象者個々の身長差などの個体差が円滑に解消されて、被計測対象者の視線の動きを効果的に測定することが可能となる。
【００４４】
また、前記実施の形態では、各ロッド３５，３６の下端に取付台３７を設けたが、各ロッドの上端に取付台が設けられていてもよく、この場合には、各ロッドの上端の取付台の収容空間に収容された視線計測装置によって、計測対象者の個体差に応じた視線計測の拡大化を図ることが可能となる。
【００４５】
また、前記実施の形態では、案内具３２の孔部に２本のロッド３５，３６を挿通させたが、案内具に互いに平行に上下方向に延びる３条以上の孔部を設け、この各孔部に同数のロッドがそれぞれ挿通されていてもよい。
【００４６】
更に、前記実施の形態では、回転操作ノブ４３を把持して回転操作するようにしたが、ステッピングモータなどを用いて電気的に第１ロッドを回転させるようにしてもよい。
【符号の説明】
【００４７】
１          視線計測装置
２Ａ，２Ｂ  液晶モニタ装置（モニタ）
３１，３８  モニタ保持板
３２        案内具
３２１      第１孔部（孔部）
３２２      第２孔部（孔部）
３３        支持板
３４        多関節アーム
３５        第１ロッド（ロッド）
３５１      雄ねじ部
３６        第２ロッド（ロッド）
３７        取付台
４          昇降移動手段
４０        被覆部材
４０１      基部
４０２      貫通孔
４０３      被覆部
４５        固定具
【図１】
2012120624.tif 000003
【図２】
2012120624.tif 000004
【図３】
2012120624.tif 000005
【図４】
2012120624.tif 000006
【図５】
2012120624.tif 000007
【図６】
2012120624.tif 000008
【図７】
2012120624.tif 000009
【図８】
2012120624.tif 000010
【図９】
2012120624.tif 000011
【図１０】
2012120624.tif 000012
【図１１】
2012120624.tif 000013
【図１２】
2012120624.tif 000014
【図１３】
2012120624.tif 000015
【図１４】
2012120624.tif 000016
【図１５】
2012120624.tif 000017
【図１６】
2012120624.tif 000018
【図１７】
2012120624.tif 000019
【図１８】
2012120624.tif 000020